(57)【要約】含細胞試料（２０）から干渉物質を除去するろ過機構（２４）を自動化装置（１０）に利用する方法を開示する。該ろ過機構は、細胞を残留させる一方でより小径の干渉物質（７５）は通過させるような大きさの微孔（６５）を多数備えた微孔性中空繊維膜（６０）を含む。該装置はまた試料容器（１６）とろ過機構の間で試料を移動させる手段を含む。開示の方法は真空源（３０）を利用して中空線膜の内腔（６６）中に試料を吸引し、試料を、分析用容器中に排出されるか又は分析装置へと導かれるまで、内腔空間内に残留させるようにする。
2004503745.tif 000002
【特許請求の範囲】
【請求項１】
目的細胞と干渉物質とを含有する細胞試料から干渉物質を自動的に除去する装置であって、
ａ）　真空源、
ｂ）　膜外室を形成する不透過性のハウジングを含むろ過機構であって、該室には目的細胞を選択的に残留させる一方で干渉物質は通過させるようなろ材が収納されており、また該ハウジングは３以上の出入口を備え、１以上の出入口を導管で真空源に接続したろ過機構、
ｃ）　該ハウジングの該出入口群のうちの１出入口と接続した導管であって、該真空源により細胞試料を試料容器からろ過機構内へと吸引するよう調整した導管、及び
ｄ）　該ハウジングの該出入口群のうちの１出入口と接続した導管であって、緩衝液貯槽と流体接続して、緩衝液を該ろ過機構内に流入させて残留細胞を該出入口群のうちの１出入口から回収するための手段を提供する導管
を含む装置。
【請求項２】
緩衝液貯槽に流体接続するハウジングの出入口が、真空源により細胞試料を試料容器からろ過機構内へと吸引するよう調整した該ハウジングの出入口とは異なることを特徴とする請求項１の装置。
【請求項３】
残留細胞の回収を、細胞試料を試料容器からろ過機構内へと吸引するよう調整した導管を通じて行う請求項１の装置。
【請求項４】
細胞試料を吸引した試料容器の中に残留細胞を回収する請求項１の装置。
【請求項５】
ろ材が、細胞の通過を妨げるような直径の微孔を多数備えた微孔性中空繊維膜を含む請求項１の装置。
【請求項６】
微孔径が約０．１μｍ〜約５μｍである請求項５の装置。
【請求項７】
微孔径が約０．２μｍ〜約２μｍである請求項５の装置。
【請求項８】
微孔性中空繊維膜が内腔をもつ少なくとも１本の管状体をなし、該管状体は該管状体中に第１開口部と該管状体の反対端に第２開口部を有することを特徴とする請求項５の装置。
【請求項９】
第１開口部を導管と流体接続して、細胞試料を細胞試料容器から第１開口部を経由して内腔中に導けるようにした請求項８の装置。
【請求項１０】
第２開口部を導管と接続して、緩衝液を緩衝液貯槽から第２開口部経由で内腔中に導けるようにした請求項８の装置。
【請求項１１】
真空源を膜外室と流体接続して、真空源から膜外室に真空を作用させることで細胞試料を細胞試料容器から導管経由でろ過機構中に吸引し、また細胞試料中の干渉物質はろ材を通過し膜外室に入り、第２導管から排出されるようにする請求項１の装置。
【請求項１２】
１以上のポンプと複数個の弁をさらに含み、該１以上のポンプは緩衝液貯槽内の緩衝液をろ過機構内へ、また洗剤液貯槽内の洗剤液をろ過機構内へ、それぞれ導くための液圧を与え、該複数個の弁は開閉式にして、真空源由来の真空を膜外室へと作用させ、それによりろ過機構内の緩衝液、洗剤液、及び細胞試料中に含まれる干渉物質をろ過機構内から制御可能に除去しうるように調整し、また該１以上のポンプからの液圧は、緩衝液を緩衝液貯槽からろ過機構へ、緩衝液を緩衝液貯槽から細胞試料容器へ、更に洗剤液を洗剤液貯槽からろ過機構内へと導けるように方向制御しうることを特徴とする請求項１１の装置。
【請求項１３】
１以上のポンプと複数個の弁を制御するためのコンピューター制御器をさらに含む請求項１２の装置。
【請求項１４】
出入口群のうちの１出入口が、洗剤液を入れるように調整した洗剤液貯槽に流体接続される請求項１の装置。
【請求項１５】
細胞分析装置に流体接続される導管をさらに含む請求項１の装置。
【請求項１６】
細胞分析装置が蛍光を測定することを特徴とする請求項１５の装置。
【請求項１７】
細胞分析装置がフローサイトメーターであることを特徴とする請求項１５の装置。
【請求項１８】
含細胞試料から干渉物質を除去するための自動化方法であって、
ａ）　第１試料容器中の血液細胞試料に真空力を作用させて該血液細胞試料をろ材へと接触させるステップ、
ｂ）　ろ材と接触している血液細胞試料に力を作用させ、それにより該血液細胞試料中の干渉物質がろ材を通過する一方で該血液細胞試料中の細胞はろ材を通過しないようにするステップ、及び
ｃ）　ろ材から細胞を回収するステップ
を含む方法。
【請求項１９】
血液細胞試料中の干渉物質をしてろ材を通過させるための力が真空力であることを特徴とする請求項１８の方法。
【請求項２０】
血液細胞試料中の干渉物質をしてろ材を通過させるための力を作用させる前に血液細胞試料を緩衝液で希釈するステップを更に含む請求項１８の方法。
【請求項２１】
各１容積の血液細胞試料に対し１容積以上の緩衝液で、血液細胞試料を希釈することを特徴とする請求項２０の方法。
【請求項２２】
ろ材から細胞を第１血液細胞容器に回収することを特徴とする請求項１８の方法。
【請求項２３】
請求項２２の方法であって、
ａ）　回収血液細胞試料に真空力を作用させて該血液細胞試料をろ材に接触させるステップ、
ｂ）　ろ材に接触している血液細胞試料に力を作用させ、それにより血液細胞試料中の干渉物質がろ材を通過する一方で血液細胞試料中の細胞はろ材を通過しないようにするステップ、及び
ｃ）　ろ材から細胞を回収するステップ
を更に含む方法。
【請求項２４】
ろ材から細胞を、第１血液細胞試料容器とは異なる、第２血液細胞試料容器に回収することを特徴とする請求項１８の方法。
【請求項２５】
請求項２４の方法であって、
ａ）　回収血液細胞試料に真空力を作用させて該血液細胞試料をろ材に接触させるステップ、
ｂ）　ろ材に接触している血液細胞試料に力を作用させ、それにより血液細胞試料中の干渉物質がろ材を通過する一方で血液細胞試料中の細胞はろ材を通過しないようにするステップ、及び
ｃ）　ろ材から細胞を回収するステップ
を更に含む方法。
【請求項２６】
血液細胞試料に血清物質を添加するステップを更に含む請求項１８の方法。
【請求項２７】
方法が５分未満で実施される請求項１８の方法。
【請求項２８】
方法が１分未満で実施される請求項２７の方法。
【請求項２９】
ろ材から回収した細胞を分析するステップを更に含む請求項１８の方法。
【請求項３０】
ろ材から細胞を回収する前に血液細胞試料中の赤血球を溶解するステップを更に含む請求項２９の方法。
【請求項３１】
ろ材から細胞を回収した後で血液細胞試料中の赤血球を溶解するステップを更に含む請求項２９の方法。
【請求項３２】
血液細胞試料中の干渉物質の７５％超がろ材を通過する請求項１８の方法。
【請求項３３】
分析用の血液細胞試料を調製する自動化方法であって、
ａ）　血液細胞と反応する１以上の試薬を血液細胞試料に加えて試験試料混合液を調製するステップ、
ｂ）　該試験試料混合液から干渉物質を自動的に除去して洗浄済み血液細胞試料とするステップ、及び
ｃ）　該洗浄済み血液細胞試料を分析して血液細胞の特性を判別するステップを含む方法。
【請求項３４】
試薬が血液細胞試料中の血液細胞の表面上の１以上の標的抗原と特異的に結合する１以上の抗体を含むことを特徴とする請求項３３の方法。
【請求項３５】
抗体が蛍光標識を含むことを特徴とする請求項３４の方法。
【請求項３６】
洗浄済み血液細胞試料の分析が電気的又は光学的測定によることを特徴とする請求項３３の方法。
【請求項３７】
試薬が、分析しようとする血液細胞中の赤血球を溶解する溶解性試薬を含むことを特徴とする請求項３３の方法。
【発明の詳細な説明】
【０００１】
技術分野
本発明は一般に生物試料の調製と分析の分野に関する。本発明は特に、血液細胞分析の感度を向上させる方法と装置に関する。
【０００２】
背景技術
フローサイトメトリーはきわめて多数の個別の細胞を対象に特異的細胞マーカーの定性及び定量分析を迅速に行う周知の方法である。一般的な適用例では、所定の細胞マーカーへと選択的に結合する蛍光分子プローブを、たとえば、細胞内抗原又は細胞表面抗原と特異的に結合する蛍光標識抗体などを、分析対象の細胞試料に加え、プローブが、所定の細胞マーカーを発現する試料中の細胞に結合する、すなわち細胞を「染色」しうるようにする。次に試料をフローサイトメーターにかけて、光源で照射し試料中の各細胞に関連する蛍光を計量しうるようにする。
【０００３】
特定の細胞から放出される蛍光の強さは該特定細胞の表面又は内部の細胞マーカーの量と相関する。この蛍光データを外挿すれば、試料中の細胞が発現する特異的表現型マーカーの相対量をすばやく正確に求めることができる。フローサイトメトリー分析の概要については、「Ｆｌｏｗ　Ｃｙｔｏｍｅｔｒｙ　ａｎｄ　Ｓｏｒｔｉｎｇ」　Ｍｙｒｏｎ　Ｒ．　Ｍｅｌａｍｅｄ、Ｔｏｒｅ　Ｌｉｎｄｍｏ及びＭｏｒｔｉｍｅｒ　Ｌ．　Ｍｅｎｄｅｌｓｏｈｎ編、Ｎｅｗ　Ｙｏｒｋ：　Ｗｉｌｅｙ−Ｌｉｓｓ，　Ｉｎｃ．（第３版、１９９５）；　Ｓｈａｐｉｒｏ，　Ｈ．Ｍ．「Ｐｒａｃｔｉｃａｌ　Ｆｌｏｗ　Ｃｙｔｏｍｅｔｒｙ」　Ｎｅｗ　Ｙｏｒｋ：　Ｗｉｌｅｙ−Ｌｉｓｓ，　Ｉｎｃ．（第２版、１９９０）　を参照。
【０００４】
フローサイトメトリー用の試料調製は一般に、飽和濃度の細胞マーカー特異的プローブをマニアルピペッティングで細胞試料に添加し、次いでプローブが目的の細胞マーカーと結合するに足る時間にわたり混合液をインキュベートするという方法で行われ、自動化されていない。赤血球が干渉を引き起こしかねないような分析（たとえば、白血球の免疫表現型判定）では、赤血球を特異的に溶解する物質（たとえば、低張液、塩化アンモニウム又はカルボン酸）を用いて試料から赤血球を除去することができる。従来、フローサイトメトリー分析に先立って細胞試料から干渉性の未結合プローブを除去するには、混合液に過剰の緩衝液を加え、混合液を遠心にかけて緩衝液から細胞を分離し、未結合プローブを含有する緩衝液を除去し、細胞を新しい緩衝液に再懸濁させるという方法で混合液を洗う。残存の未結合プローブがあってもこの洗浄手順を何回も反復すれば更に除去することができる。この非自動化法は、フローサイトメトリー分析に際してバックグラウンドノイズ又は干渉を生む原因となりかねない干渉物質（たとえば、未結合プローブ又は細胞残屑）をほとんど含まない比較的クリーンな試料が得られるという点で有利である。しかし、少なからぬ適用分野ではこの非自動化法は比較的時間がかかり、１以上の洗浄ステップに起因する著しい細胞損失を招きかねず、また細胞を潜在的に有害な作用（たとえば、酵素作用の活性化、顆粒の放出、細胞破壊、遠心による高重力など）にさらす。
【０００５】
前記の方法は少数の試料を対象とした時たまの分析には適するものの、きわめて多数の試料を対象とした反復分析を伴うプロトコールにはあまり適さない。一般にフローサイトメトリーを用いた臨床診断、高速大量のスクリーニングなどには、より自動化した方法が好ましい。たとえば、フローサイトメトリーを用いて白血球の免疫表現型を判別するといった一般的な臨床検査では、全血試料を自動処理装置にかけた後に分析を行う。Ｂｅｃｋｍａｎ　Ｃｏｕｌｔｅｒ，　Ｉｎｃ．　（米国フロリダ州マイアミ）　製のＣＯＵＬＴＥＲ　（登録商標）　ＴＱ−Ｐｒｅｐ　（登録商標）　Ｗｏｒｋｓｔａｔｉｏｎ　システムはそうした装置の一例である。同装置はコンピューター制御機構を用いて、プローブ添加後の試料に、試料中の赤血球を溶解する物質と細胞固定剤（パラホルムアルデヒドなど）を自動的に添加する。調製した試料は更なる処理を経ずにそのままフローサイトメーターで分析することができる。この自動化法は全血試料をすばやく能率的に調製しうるという点で有利である。
【０００６】
この溶解処理法は、高感度が要求される適用分野で難点を露呈する可能性がある。そうした分野にこの自動化法を適用すると、同法は洗浄ステップを欠くため、干渉物質、たとえば、未結合プローブや溶解赤血球の残屑などが試料から除去されずに残り、未結合プローブからの蛍光、非特異的プローブ結合、及び／又は細胞や残屑からの自己蛍光に起因する高バックグラウンドノイズのために分析結果が分かりにくくなるおそれがある。
【０００７】
蛍光標識抗体を使用して細胞試料中の低濃度で存在するマーカーを調べる場合、洗浄ステップの欠落は試料中に存在する未結合抗体に起因する高バックグラウンド蛍光を招く一因となりかねない。試料中に存在する未結合蛍光抗体分子があまりに多いと、フローサイトメーターは抗体結合細胞から放出されるシグナルと未結合抗体から生ずる「ノイズ」を識別することができない。つまり、試料中の「ノイズ」が目的とする細胞由来の「シグナル」を圧倒してしまう。これを防ぐには、干渉物質を手動洗浄法で除去して試料中のシグナル／ノイズ（Ｓ／Ｎ）比を高めることができる。手動洗浄法の一例は、試料を遠心にかけて細胞をペレット化する、上清に含有された干渉物質をデカントする、細胞を新しい緩衝液に再懸濁させるというステップを含む。この手動洗浄法も前述の非自動化法の場合と同様に、時間がかかる、細胞を破壊する、細胞損失を招きかねないといった難点がある。
【０００８】
従って、分析前に細胞試料から干渉物質をすばやく能率的に除去する装置及び方法が求められている。更に、該装置及び方法は血液試料を取り扱う操作者に対する感染性血液との接触というリスクを最小限にとどめるべきである。前述の方法を低細胞損失で実行しかつ遠心に起因する高重力又は細胞充填に細胞をさらさないような装置が特に有利であろう。
【０００９】
発明の開示
細胞試料から干渉物質をすばやく能率的に除去するための細胞試料調製装置には微孔性中空繊維膜などのろ材が利用できることはすでに発見されている。特に、目的細胞の直径を下回る平均直径の微孔を多数備えた中空繊維膜を細胞試料から干渉物質を除去するのに利用すれば、細胞検定でＳ／Ｎ比の改善を図れることがすでに判明している。中空繊維膜に真空を適用すると、ろ材内腔内の血液細胞試料から干渉物質を除去することが可能になる。細胞自体は膜の微孔を通過できないので、在来の連続ろ過機構と比べてろ材の目詰まりが起こりにくいし、また細胞が有害な力にさらされる心配も少ない。本発明のろ材は細胞処理装置内に取り付ければ、血液細胞試料を自動的に洗浄、分析できるようになる。
【００１０】
従って、本発明は含細胞試料から干渉物質を自動的に除去する装置を特色とする。該装置は真空源、膜外室を形成する不透過性のハウジングを含むろ過機構であって、該室内には、目的細胞を選択的に残留させる一方で干渉物質は通過させるようなろ材が収納されており、また該ハウジングは３以上の出入口を備え、１以上の出入口を導管で真空源へと接続したろ過機構、該ハウジングの該出入口群のうちの１出入口と接続した導管であって、該真空源により細胞試料を試料容器からろ過機構内へと吸引するよう調整した導管、及び該ハウジングの該出入口群のうちの１出入口と接続した導管であって、緩衝液貯槽と流体接続して、緩衝液を該ろ過機構内に流入させて残留細胞を該出入口群のうちの１出入口から回収するための手段となる導管を含む。
【００１１】
好ましい態様では、含細胞試料から干渉物質を自動的に除去する装置は、細胞試料を入れる細胞試料容器を保持するよう調整した試料容器保持体、細胞を選択的に残留させる一方で干渉物質は通過させるようなろ材を収納したろ過機構、試料容器をろ過機構へと流体接続して試料が試料容器とろ過機構の間を移動できるようにする１以上の導管、及びろ過機構から細胞を回収する手段を含む。該装置のろ材は好ましくは、細胞の通過を妨げるような直径の微孔を多数備えた微孔性中空繊維膜を含む。微孔は平均直径を、たとえば、約０．１〜５．０μｍとすることができる。好ましい装置の例では、微孔性中空繊維膜は内腔をもつ少なくとも１本の管状体をなし、該管状体は該管状体の第１開口部をなす第１出入口と該管状体の第２開口部をなす第２出入口を有する。この好ましい態様では、該導管を第１出入口経由で１以上の内腔へと流体接続して、細胞試料が細胞試料容器から第１出入口経由で該１以上の内腔へと移動しうるようにする。第２出入口は緩衝液を入れた緩衝液貯槽と、また洗剤液を入れた洗剤液貯槽とも、流体接続することができる。ろ過機構から細胞を回収する手段は緩衝液貯槽と流体連絡させることができる流体ポンプを含み、該流体ポンプにより緩衝液を緩衝液貯槽からろ過機構へと流せるようにしてもよい。変法として、流体ポンプにより緩衝液をろ過機構から１以上の導管へも流せるようにしてもよい。
【００１２】
本発明装置の別の態様では、ろ過機構が不透過性のハウジングを含み、該不透過性ハウジングと微孔性中空繊維膜の間に膜外室が形成されるようにすることもできる。膜外室を真空源と流体接続すれば、真空源から膜外室に真空を適用することで細胞試料を、細胞試料容器から１以上の導管を介して微孔性中空繊維膜の１以上の内腔へと第１出入口経由で吸引し、さらに細胞試料の一部を、微孔性中空繊維膜を通過して膜外室へと吸引することができる。
【００１３】
本発明装置には１以上のポンプと複数個の弁を含めることもできる。該ポンプは緩衝液を緩衝液貯槽から微孔性中空繊維膜の内腔へと、また洗剤液を洗剤液貯槽から微孔性中空繊維膜の内腔へと、それぞれ輸送するための液圧を与える。また複数個の弁は開閉式にして、真空源由来の真空を膜外室へと適用し、以って微孔性中空繊維膜内の緩衝液、洗剤液、及び細胞試料の一部が内腔から膜外室へと制御可能に吸引されるようにすることができる。またポンプからの液圧は方向制御により、緩衝液を緩衝液貯槽から内腔へ、緩衝液を緩衝液貯槽から細胞試料容器へ、更に洗剤液を洗剤液貯槽から内腔へと輸送するように利用することができる。別の態様では、本発明装置にポンプと弁を制御するためのコンピューター制御器を含めることができる。
【００１４】
本発明はまた、試料細胞から干渉物質を除去するための細胞洗浄装置及び細胞試料を分析するための細胞分析装置を含むことを特色とする。細胞洗浄装置は前述のとおりであり、細胞分析装置は任意の細胞分析装置とすることができる。細胞分析装置は、好ましくはフローサイトメーターなどのように蛍光を測定する。
【００１５】
本発明はまた含細胞試料から干渉物質を除去するための自動化された方法に関する。該方法は、第１試料容器中の血液細胞試料に真空力を作用させて該血液細胞試料をろ材へと接触させるステップ、ろ材と接触している血液細胞試料に力を作用させ、それにより血液細胞試料中の干渉物質がろ材を通過する一方で血液細胞試料中の細胞はろ材を通過しないようにするステップ、及びろ材から細胞を回収するステップを含む。本方法ではろ材は、細胞の通過を妨げるような大きさの微孔を多数もつ微孔性中空繊維膜を含むことができる。
【００１６】
本発明はまた、試料中の細胞上の表現型マーカーを分析するための自動化された方法を特色とする。該方法は、血液細胞と反応する１以上の試薬を血液細胞試料に加えて試験試料混合液を調製するステップ、該試験試料混合液から干渉物質を自動的に除去して洗浄済み血液細胞試料とするステップ、及び該洗浄済み血液細胞試料を分析して血液細胞の特性を判別するステップを含む。該１以上の試薬は表現型マーカーと特異的に結合する抗体とすることができるし、該抗体は蛍光試験標識を含んでもよい。試験試料混合液から干渉物質を自動的に除去するステップは試験試料混合液から５０％超の干渉物質を除去することができる。
【００１７】
該方法はまた、分析しようとする細胞試料中の赤血球を溶解するステップ及び／又は試験試料混合液中の細胞に結合したプローブの量をフローサイトメトリーで定量するステップを更に含んでよい。
【００１８】
好ましい態様の詳細な説明
以下の好ましい態様は本発明の様々な具体例を説明する。とは言え、これらの態様の説明からは、後述の構成要素やステップをわずかに調整又は変更するだけで容易に本発明の他の態様を創り出すことができる。
【００１９】
本書で言及する出版物、特許出願、特許及び他参考資料はすべてその全体が、参照指示により本書に組み込まれる。矛盾が見られる場合には、用語の定義を含めて本明細書に従う。更に後述の特定の態様は例示にすぎず、発明の範囲を限定するものではない。
【００２０】
別段の定義がない限り、本書で使用する専門用語はすべて当業者が通常理解している意味と同じである。
【００２１】
本発明は、ろ材を利用して分析前の体液から干渉物質を除去する自動装置及び自動方法を提供する。本書で使用する用語「自動」は人間の直接介入なしで実行されることを意味する。たとえば、ある方法が自動装置により自動で実行されると言えるのは、たとえ、該装置への命令の入力又は該方法の１以上のステップの実行さえもが手動で操作者によってなされるとしても、該方法の１以上のステップが操作者ではなく該装置の構成部品により実行されるときである。同様に、「自動化（された）」方法は自動的に実行される方法である。「干渉物質」は分析を分かりにくくする物質又は粒子を意味する。特に、干渉物質は未反応化学物質、未反応生体物質、それに赤血球残屑及び目的の細胞物質よりも小さな細胞物質などの生体粒子を含む。蛍光分析の対象となる細胞試料中の干渉物質は一般に未結合蛍光プローブや自己蛍光細胞残屑などである。試料からの干渉物質除去％は（ａ）試料中の残屑量の減少％か又は（ｂ）Ｓ／Ｎ比の上昇％で表わす。
【００２２】
図１について説明すると、本発明の好ましい態様の細胞洗浄装置１０は支持枠１２に取り付けた試料容器保持体１４及びろ過機構２４を含む。試料容器保持体１４は細胞試料２０を入れる試料容器１６を格納するが、両者は干渉物質を含有する可能性のある細胞試料２０中に試料ホース２２の末端を挿入しうるように配置してある。試料ホース２２は真空源３０と流体接続して、真空源３０の起動により真空力が生じ、試料容器１６から細胞試料２０がホース２２中に吸引されるようにする。より詳細には、真空源３０から真空力を作用させてろ過機構２４を負圧状態とし、試料容器１６から細胞試料２０がろ過機構２４中に吸引されるようにする。
【００２３】
真空源３０は流体を移動させるための真空力又は液圧を与えることができる任意形式の機構でよい。たとえば、真空源３０は流体ポンプ又は外部真空管路でもよい。真空源３０は好ましくはシリンジポンプ、たとえば、５ｍｌシリンジポンプとし、プランジャーの引抜き又は押込み動作によりろ過機構２４に真空力又は前進液圧がかかるようにする。
【００２４】
真空源３０の形式として正圧ではなく真空力を生じさせる機構が好ましいのは、真空のほうが細胞への害が少ないと判明しているためである。より詳細には、血液細胞試料２０はポンプ内を循環せずに内腔６６（図示せず）に入るが、細胞がポンプ内を循環するとしたら、細胞の変形や凝集及び損傷が起こる。そこで、細胞試料２０は正圧の作用で内腔６６中に押し込まれるのではなく、真空力の作用で内腔６６中に引き込まれるようにする。
【００２５】
ろ過機構２４はろ過機構留め具２６で支持枠１２に取り付け、また試料ホース２２と真空源３０の間に配して真空源３０により真空力をかけると細胞試料２０がろ過機構２４内に吸引されるようにする。ろ過機構２４は、細胞試料２０から未結合抗体分子又は細胞残屑などの干渉物質を除去しうる任意の機構でよい。ろ過機構２４は好ましい態様では、干渉物質が通り抜けうるようなろ材を含む。用いうるろ材は微細網目スクリーン、精密ろ過用平膜、渦巻き型膜カートリッジ、又は目的細胞から干渉物質を分離しうるような任意の他ろ材などである。より好ましい態様では、ろ材は微孔性中空繊維膜であり、直径を細胞試料２０中の血液細胞より小さく干渉物質よりも大きくした微孔を多数備える。
【００２６】
ろ過機構２４用の好適な中空繊維膜は当業者が創り出しても、種々の販売元から購入してもよい。本発明に有用な中空繊維膜は目的細胞に対し非反応性である素材を含み、また該素材は疎水性又は親水性素材、ポリスルホン、ポリエステルスルホン、ナイロン、アクリル酸メチル、Ｐｅｅｋ（商標）（Ｕｐｃｈｕｒｃｈ　Ｓｃｉｅｎｔｉｆｉｃ，　Ｉｎｃ．）とすることができる。該ろ材は目的細胞が通過しえない大きさの微孔をもつことになろう。微孔径は約０．１μｍ〜約５μｍの範囲であろう。微孔径は好ましくは、目的細胞から血小板を干渉物質として除去しうる約０．１μｍ〜約３μｍであろう。より好ましくは、微孔径は約０．２μｍ〜約２μｍ、最も好ましくは約０．３μｍ〜約１μｍであろう。本発明では、約０．６５μｍの微孔径で首尾よく干渉物質を除去し大多数の細胞成分を分析用に残留させることができた。平均径０．６５μｍの微孔を多数備えた好ましい市販ポリスルホン中空繊維膜機構の一例は、Ａ／Ｇ　Ｔｅｃｈｎｏｌｏｇｙ　Ｃｏｒｐｏｒａｔｉｏｎ（米国マサチューセッツ州ニーダム）の商品（カタログ番号ＣＦＰ−６−Ｄ−Ｈ２２ＬＡ）である。同機構は、予め蛍光抗体で染色し、赤血球を溶解し、等張緩衝液又は試薬で希釈し全量を約４ｍｌとした代表的な１００μｌのヒト全血試料から大多数の干渉物質を除去するのに好適である。本発明の変法に有用な他機構はＡ／Ｇ　Ｔｅｃｈｎｏｌｏｇｙ　Ｃｏｒｐｏｒａｔｉｏｎ商品のＣＦＰ−６−Ｄ−ＭＢ０１　（１５ｃｍ２）とＣＦＰ−６−Ｄ−ＭＭ０１Ａ　（２４ｃｍ２）、及びＳｐｅｃｔｒｕｍ　Ｌａｂｏｒａｔｏｒｉｅｓ，　Ｉｎｃ．（米国カリフォルニア州ランチョドミンゲス）のＸ１５Ｅ３００　０４ＮとＸ２５Ｅ２０１　０２Ｎなどである。
【００２７】
試料容器１６とろ過機構２４の間の流体の流れを調節するためにホース２２上に試料ホース弁２３を配置する。弁２３はホース２２内の流体の流れを調節しうる任意形式の機構でよい。弁２３は好ましくは開位置と閉位置の切替えが可能である。開位置では、試料２０は真空源３０などから適当な力が作用すれば試料容器１６とろ過機構２４の間を流れることができる。閉位置では、流体接続が遮断されるため試料２０は試料容器１６とろ過機構２４の間を流れることができない。前述の態様の好ましい変法では、弁２３が半開位置をも有し、別の流体接続により流体の流れをホース２２から廃液貯槽３９へと導く。
【００２８】
図１の態様では試料容器１６とろ過機構２４の間の流体接続が試料ホース２２により実現され、弁２３により調節されるが、別の好ましい態様では試料容器１６とろ過機構２４の間に１以上の流体接続が存在しうる。たとえば、試料ホース２２は細胞試料２０を試料容器１６からろ過機構２４へと輸送するために用いて、細胞試料２０をろ過機構２４から試料容器１６に戻すには戻り用のホース又は流体接続を設けてもよい。戻りホース上にも弁２３と類似の流体流れ調節器を介在させることができる。更に、試料２０をろ過機構２４から試料容器１６に戻すための流体接続は設けず、試料２０をろ過機構２４から試料容器１６の代わりに未使用試験管などのような清浄な試料容器に輸送するための別の流路を設けてもよい。
【００２９】
図１に戻ると、真空源３０とろ過機構２４の間の流体接続内に真空源弁３２を配置して、真空源３０とろ過機構２４の間の真空伝達を制御しうるようにする。弁３２は好ましくは開位置と閉位置の切替えが可能である。開位置では、真空源３０の起動によりろ過機構２４に真空力がかかり、試料２０が容器１６から機構２４内へと吸引される。閉位置では、真空源３０と機構２４の間で真空力の伝達が起こらない。
【００３０】
真空源３０は、廃液ホース３７で廃液貯槽３９と流体接続することもできる。真空源３０は前述のように、前進液圧を与えるようにもしてある。この液圧を利用すれば流体を真空源３０の近位部から廃液貯槽へと移動させることができる。たとえば、真空源３０が好ましいシリンジポンプ形式を取るとき、弁３２及び２３を開にしてシリンジポンプのプランジャーを引き抜くと真空力により干渉物質と細胞試料２０とを含む流体が吸引されてシリンジの外筒内部へと分散する。この状態でプランジャーを押し込むと流体はシリンジから押し出される。弁３２を閉にしておけば、流体は廃液ホース３７経由で廃液貯槽３９へと導かれる。前記態様の代替変法では、真空源３０を利用する代わりに追加の真空源、ポンプ又は液圧変換器を使用して流体を真空源３０の近位部から廃液貯槽３９へと導くことができる。この変法が好ましいのは、廃液貯槽３９と試料容器１６及びそれらに付随する流体接続との間の潜在的な相互汚染を防止するのが望ましい場合である。
【００３１】
ろ過機構２４はまた、緩衝液ホース４６で緩衝液貯槽４８と流体接続することもできる。緩衝液貯槽４８は、細胞試料２０と相溶性の任意の等張液としうる緩衝液４９を入れておく容器である。好適な緩衝液は生理食塩水又はリン酸緩衝生理食塩水（ＰＢＳ）及びハンクス緩衝液などである。緩衝液４９用として好ましい等張液はＩｓｏＦｌｏｗ（商標）緩衝液、ＰＢＳ及びＩＭＭＵＮＯ−ＴＲＯＬ（商標）　Ｆｉｎａｌ　Ｓｔｏｒａｇｅ緩衝液（いずれも米国カリフォルニア州フラートンのＢｅｃｋｍａｎ　Ｃｏｕｌｔｅｒ，　Ｉｎｃ．の商品）などである。
【００３２】
ろ過機構２４と貯槽４８の間には、ホース４６で流体接続された緩衝液ポンプ４０がある。緩衝液ポンプ４０は液圧により緩衝液４９を貯槽４８からホース４６、ろ過機構２４及び試料ホース２２経由で試料容器１６へと導く。ポンプ４０は緩衝液貯槽４８、機構２４及び試料容器１６の間に液圧を生じさせる任意形式の機構、たとえば真空ポンプ、蠕動ポンプ、往復ポンプ、又は当業者に周知の他形式のポンプでよいが、好ましい態様ではシリンジポンプである。
【００３３】
貯槽４８と機構２４の間のホース４６上には貯槽４８と機構２４の間の緩衝液の流れを制御するための緩衝液弁４２がある。弁４２は流体の流れを調節する任意の形式の弁でよいが、好ましくは吸込み位置、吐出し位置、閉位置のいずれかを選べる三位栓様の弁とする。吸込み位置では、ポンプ４０と緩衝液貯槽４８が流体接続されて、ホース４６への液圧の伝達が可能になり、それがポンプ４０をして緩衝液４９を緩衝液貯槽４８から緩衝液ホース４６中に、又はポンプ４０がシリンジポンプである場合にはシリンジ室中に、吸引させる。吐出し位置ではポンプ４０と機構２４が流体接続されるため、ポンプ４０の起動たとえばシリンジのプランジャーの押込みにより緩衝液４９をポンプ４０から機構２４へと、また弁２３が開の場合には試料容器１６へと、導く。従って図１では、弁４２を開にし、弁３２を閉にし、また弁２３を開にした状態でポンプ４０を起動すれば、緩衝液４９によってろ過機構２４内に留まる血液細胞試料２０を試料容器１６へと追い戻すことができる。弁４２が閉であれば、貯槽４８、機構２４及び容器１６の間の流体接続は遮断される。
【００３４】
洗剤液貯槽５８は洗剤液ホース５６によりろ過機構２４と流体接続されている。洗剤液貯槽５８はろ過機構２４と装置１０の流体接続手段の清浄処理に好適な洗剤液５９を入れる容器である。洗剤液５９は装置１０の流体接続手段から残留試料、沈積物、タンパク質、核酸等を除去しうる任意の溶液でよい。洗剤液は、たとえば、０．５Ｎ　ＮａＯＨ溶液、１Ｎ　ＫＯＨ溶液、Ｈ３ＰＯ４溶液、０．０５〜１０％漂白剤溶液又は類似の溶液でよい。洗剤液はＴｒｉｔｏｎ　Ｘ−１００（Ｒｏｈｍ　ａｎｄ　Ｈａａｓ）、Ｔｗｅｅｎ　８０（登録商標）（ＩＣＩ　Ａｍｅｒｉｃａ）、プルロニック酸（ＢＡＳＦ　Ｃｏｒｐ．）、エチレンジアミン四酢酸（ＥＤＴＡ）、プロテアーゼ、ヌクレアーゼ、アジドなどの物質及び流体接続手段を清浄処理しうる他物質を含んでもよい。洗剤液５９として使用するのが好ましい一組成物はＣＯＵＬＴＥＲ　ＣＬＥＮＺ（登録商標）（Ｂｅｃｋｍａｎ　Ｃｏｕｌｔｅｒ，　Ｉｎｃ．　米国カリフォルニア州フラートン）の商品名で販売されている溶液である。
【００３５】
洗剤液ポンプ５０は液圧により洗剤液５９を貯槽５８からホース５６経由でろ過機構２４へと導く。ポンプ４０と同様にポンプ５０は洗剤液貯槽５８と機構２４の間に液圧を生じさせる任意形式の機構、たとえば、真空ポンプ、蠕動ポンプ、往復ポンプ、又は当業者に周知の他形式のポンプでよいが、好ましい態様ではシリンジポンプである。
【００３６】
洗剤液ポンプ５０と緩衝液ホース５６の間のホース５６上には貯槽５８と機構２４の間の洗剤液５９の流れを制御するための洗剤液弁５２がある。弁４２と同様に弁５２は流体の流れを調節する任意の形式の弁でよいが、好ましくは吸込み位置、吐出し位置、閉位置のいずれかを選べる三位栓様の弁とする。吸込み位置では、洗剤液ポンプ５０と洗剤液貯槽５８が流体接続するため、ホース５６へと液圧の伝達が可能になり、それがポンプ５０をして洗剤液５９を洗剤液貯槽５８から洗剤液ホース５６中に、又はポンプ５０がシリンジポンプである場合にはシリンジ室中に、吸引させる。吐出し位置では、ポンプ５０と機構２４が流体接続するため、弁３２が閉で弁２３が開のとき、ポンプ５０の起動たとえばシリンジのプランジャーの押込みにより洗剤液５９をポンプ５０から機構２４へと導く。また弁３２が開で弁２３が閉のときには、ポンプ５０の起動により、真空源３０の協力を得て又は該協力なしで、洗剤液５９をしてろ過機構２４内に留まる任意の流体又は物質を廃液貯槽３９へと洗い流させることができる。弁５２が閉ならば、貯槽５８と機構２４の間の流体接続は遮断される。
【００３７】
装置１０には、前述の緩衝液及び洗剤液機構の他に、他機構を含めることもできる。たとえば、赤血球溶解剤を添加するための機構を含めることができる。同様に、１以上の細胞マーカープローブ、たとえば、蛍光標識した抗原特異抗体を添加するための機構を装置１０に含めることもできる。更に、１以上の細胞分析装置、たとえば、血液分析装置及びフローサイトメーターとの流体接続手段を設けることもできる。従って、本発明は、血液細胞試料中の赤血球を溶解すること、細胞マーカープローブを血液細胞試料に添加すること、溶解した赤血球細胞の残屑及び未結合細胞マーカープローブを血液細胞試料から除去すること、及び細胞分析装置を用いて残存細胞を定量しまた特異的細胞マーカーを定量することにより、全血試料の自動処理を可能にする装置を包含する。
【００３８】
好ましい態様では、装置の多様な構成部品をコンピューターなどの情報処理装置で制御する。すなわち弁２３、３２、４２及び５２、それに真空源３０、ポンプ４０及び５０は、弁を開閉し真空源及びポンプを起動するためのオペレーティングアルゴリズムを予め内部にプログラムしてある情報処理装置（図示せず）へと操作可能に接続する。該情報処理装置はサーボ、ロボットアーム、歯車等の電気式、油圧式又は機械式マニピュレーターを介してポンプ、弁、真空源、及び装置１０の他構成部品を作動させることができる。たとえば、一態様では、ホース２２をロボットアームに取り付けければ、情報処理装置からの命令に従ってホース２２の接続先を試料容器と他の場所（たとえば別の容器が置いてある場所）との間で変更させることができる。
【００３９】
図２は、特に好ましい態様のろ過機構２４を更に詳しく示す。本発明装置のこの好ましい態様では、ろ過機構２４は内壁とそれによって形成された内腔６６をもつ管状体の中空繊維膜６０を含む。ろ過機構２４はろ過機構に対して縦向きの底部出入口６２を更に含み、管状膜６０により試料ホース２２と内腔６６が流体接続されている。細胞試料２０などの流体は試料ホース２２から出入口６２を通って内腔６６に流入しうる。ろ過機構２４はまたろ過機構に対して縦向きの頂部出入口６４を含み、管状膜６０によりホース４６及び５６と内腔６６が流体接続されている。緩衝液４９（図示せず）は緩衝液ホース４６から出入口６４を通って内腔６６に流入しうる。同様に、洗剤液５９（図示せず）も洗剤液ホース５６から出入口６４を通って内腔６６に流入しうる。
【００４０】
図２、３及び４Ａ〜４Ｋは膜６０を１個だけ示すが、別の好ましい態様では機構２４は２個以上の内腔６６を形成する２個以上の膜６０を含むことができる。特に、ろ過機構２４はそれぞれ内腔を有する２個の膜を有し、都合２個の内腔を含むことができる。ろ過機構はより好ましくは３個の内腔を形成する３個の膜を含み、最も好ましくは４個の内腔を形成する４個の膜を含む。内腔が２個以上だと処理流量が増すと判明している。更に、内腔が２個以上だと汚れが少なくなり、清浄サイクルが少なくて済むと判明している。またその一方で、ろ過機構内の膜は２０個未満、従って内腔も２０個未満とするのが好ましく、膜も内腔も１０個未満とするのが最も好ましい。
【００４１】
図２に示すように、ろ過機構２４の外表面は好ましくは中空繊維膜６０と膜外室６８を外囲する非反応性、不透過性のハウジング７０を含む。膜外室６８はハウジング７０の内壁と管状膜６０の外壁の間の空間である。ろ過機構２４に対し横向きとすることができる真空及び廃液出入口３４は、膜外室６８を真空源３０及び廃液ホース３７と流体接続する開口部である。出入口３４は従って、不透過性ハウジングの壁を貫いて飛び出し、たとえば真空源３０から真空力を出入口３４に作用させると真空力は膜外室６８に伝達される。膜外室６８が真空になると流体と干渉物質７２が内腔６６から膜６０を通過して膜外室６８中に、さらには出入口３４から外へと排出される。弁３２を閉じて真空源３０から前進液圧を加えれば、排出された流体と干渉物質７２を廃液貯槽３９へと導くことができる。
【００４２】
機構２４は、好ましくは、ハウジング７０中に格納された膜６０の全部分から流体と干渉物質が排出されうるように配置する。たとえば出入口３４は好ましくは、真空源３０からの真空が膜６０の縦方向に対してほぼ直角に向けられるよう該機構上に配置する。こうした側面への真空の適用が好ましいのは、膜６０の一端へと細胞を押し込むような機構（これはポンプを使用して膜６０の内腔の内圧を高め膜の微孔から細胞を押し出すときに起こる）と比べて細胞への圧迫が少ないからである。
【００４３】
図３は、目的細胞を選択的に保持する一方で干渉物質は通過させてしまうろ過機構２４の好ましい仕組みの図解である。細胞試料２０は細胞７４と干渉物質７２、たとえば、未結合プローブや細胞残屑の混合物として内腔６６の液体媒質中に分散している。中空繊維膜は多数の微孔６５を備えており、微孔平均径は細胞７４の平均径よりも小さく、干渉物資７２の直径よりも大きい。従って干渉物質７２は微孔６５を通過するが、より大径の細胞７４は通過しない。出入口３４から膜外室６８に真空を作用させると、細胞試料２０を分散させた液体は干渉物質７２ごと微孔６５を通って膜外室６８に排出される。細胞７４は大きすぎて微孔６５を通り抜けられず内腔６６内に選択的に保持される。
【００４４】
図３に示す態様では、膜６０は任意好適の素材からなる。膜の素材は、たとえば、疎水性又は親水性ポリマーでもよい。好ましい態様では、膜６０の素材は微孔性ポリスルホンである。当業者は分析する細胞試料の性質に応じて膜６０の微孔６５径を適宜決定することができる。ヒトの白血球を分析するなら、微孔６５は好ましくは平均径を約０．２〜２．０μｍ、より好ましくは約０．３〜約１μｍとする。膜６０の表面積もまた、分析する試料の特性、試料容量、及び使用する膜の種類といった要因に応じて当業者が選択することができる。たとえば、１００μｌのヒト全血試料を等張緩衝液で処理し次いで希釈して全容量を約４ｍｌとした場合、試料中の干渉物質をほぼ除去するには直径０．６５μｍの微孔を備えた中空繊維膜２０ｃｍ２で十分である。１ｍｌ試料の場合、好ましい内腔容積は約５０μｌ〜約２５００μｌ、好ましくは約２００μｌ〜約１０００μｌであり、また好ましい膜外室容積は約１００μｌ〜約２５００μｌ、好ましくは約５００μｌ〜約１０００μｌである。試料の容量と種類次第で、他の内腔容積及び膜外室容積が好ましい場合もあろう。膜６０はまた非溶解性の界面活性剤、たとえば、Ｐｌｕｒｏｎｉｃ　Ｆ６８やＰｌｕｒｏｎｉｃ　２５Ｒ８　（ＢＡＳＦ　Ｃｏｒｐ．）　で処理して、その再使用適性を、試料２０中の細胞に関する細胞計数や細胞マーカー密度にさほどの悪影響を及ぼすことなく、高めることもできる。
【００４５】
本装置の好ましい操作の概略を図４Ａ〜４Ｅに示す。図４Ａでは装置１０は試料細胞２０と流体連絡した試料ホース２２を備える。たとえば、細胞試料２０は溶解試薬、安定化緩衝液、及び固定剤たとえばＩＭＭＵＮＯＰＲＥＰ（商標）試薬（Ｂｅｃｋｍａｎ　Ｃｏｕｌｔｅｒ，　Ｉｎｃ．　米国フロリダ州マイアミ、製造）を使用して予め処理した１００μｌの全血でもよい。図４Ｂ及び４Ｃに示すように、試料２０は干渉物質７２の除去％を高めやすくするために緩衝液４９で希釈する。緩衝液貯槽４８から試料容器１６に既定量の緩衝液４９を移して、たとえば、試料の総容量を約４ｍｌとするには、装置１０をコンピューター制御機構（図示せず）により、弁２３が開、弁３２と弁５２が閉となるように設定する。次に図４Ｂに示すように、緩衝液弁４２を吸込み位置を切り替え、緩衝液ポンプ４０を起動して既定量の緩衝液４９を吸引する。次に図４Ｃに示すように、弁４２を吐出し位置に切り替え、ポンプ４０を起動して吸引量の緩衝液４９がろ過機構２４を経由して試料容器１６中に配給され、以って試料細胞２０が希釈されるようにする。
【００４６】
次に図４Ｄに示すように、試料２０をろ過機構２４中に吸引し、そこで干渉物質を膜６０に通して試料から除去する。このステップでは、弁４２と５２が閉、弁２３と３２が開となるように装置１０を設定する。次に真空源３０を起動して真空を発生させ、細胞試料２０が容器１６からろ過機構２４中に吸引されるようにする。真空がかかると、試料２０中の干渉物質を含む液体は機構２４を通過して真空源３０へと吸引されるが、細胞は機構２４中の内腔６６に留まる。次に図４Ｅに示すように、弁３２を閉じ、真空源３０を起動して前進液圧を与え、吸引した液体を廃液ホース経由で廃液貯槽３９に排出する。
【００４７】
次に図４Ｆ及び４Ｇに示すように、干渉物質を除去した後の細胞試料２０を容器１６に戻す。このステップでは、弁２３が開、弁３２と５２が閉となるように装置１０を設定する。次に図４Ｆのように、緩衝液弁４２を吸込み位置に切り替え、緩衝液ポンプ４０を起動して緩衝液貯槽４８から既定量の、たとえば、１．２５ｍｌの緩衝液４９を吸引する。次に図４Ｇに示すように、弁４２を吐出し位置に切り替え、ポンプ４０を起動して吸引量の緩衝液４９をろ過機構２４経由で試料容器１６に分配する。緩衝液４９をろ過機構２４に通すことで試料２０はろ過機構から容器１６へと押し流される。別の態様（図示せず）では、機構２４から試料容器１６ではなく清浄試料容器に至る追加の流体接続を設けて、干渉物質を除去した後の細胞試料２０を機構２４から清浄容器へと導くようにする。
【００４８】
装置１０は図４Ｈ〜４Ｋに示す要領で洗浄することができる。装置の洗浄は各試料処理後に、所定件数の試料処理後に、又は膜６０の汚れに応じて、行うことができる。洗浄ステップでは弁２３が半開、弁３２と４２が閉となるように装置１０を設定する。次に図４Ｈに示すように、洗剤液弁５２を吸込み位置に切り替え、洗剤液ポンプ５０を起動して洗剤液貯槽５８から既定量の、たとえば、３ｍｌの洗剤液５９を吸引する。次に図４Ｉに示すように、弁５２を吐出し位置に切り替え、ポンプ５０を起動して吸引量の洗剤液５９をろ過機構２４中に配給する。弁２３が半開のため、洗剤液５９はホース１００経由で廃液貯槽３９へと排出される。次に図４Ｊに示すように、装置２４内に残留する洗剤液５９を残らず排除するために、緩衝液弁４２を吸込み位置に切り替え、緩衝液ポンプ４０を起動して緩衝液貯槽４８から既定量の、たとえば、３ｍｌの緩衝液４９を吸引する。
【００４９】
図４Ｋでは、緩衝液分配ステップに先立って、弁２３を閉じ、弁３２を開に切り替えることができる。弁４２を吐出し位置に切り替えポンプ４０を起動して、緩衝液４９が配給され、ろ過機構内の残留洗剤液５９と緩衝液４９が廃液ホース経由で廃液貯槽３９に排出されるようにする。代りに、又は加えて、弁２３を半開にし弁３２を閉じ、また弁４２を吐出し位置に切り替えて、ポンプを起動し吸引量の緩衝液４９をろ過機構２４及びホース１００経由で貯槽３９に導く。以上の諸ステップを反復して機構２４を多既定量の緩衝液で洗浄することにより、次の試料の分析に移れるようにする。
【００５０】
図５に移ると、本発明は試料細胞から干渉物質を除去する方法をも包含する。細胞試料から干渉物質を除去する好ましい方法は、真空力を血液細胞試料に作用させて該血液細胞試料を試料容器１６から吸引し、ろ材と接触させる第１ステップ８０を含む。前述のようにこれは真空源により実現されるが、該真空源は一般に約４ｍｌの血液細胞試料を約７秒で試料容器から吸引し、ろ膜に通すことができる。当業者には自明であるが、試料容器１６から吸引する血液細胞試料の量を加減することができ、時間も加減することができる。該真空力の制限は、細胞が内腔６６内に保持される際に作用する細胞を凝結させるような力を下回る量であろう。好ましくはその力は細胞を変形させるような力を下回るだろう。
【００５１】
本方法は、血液細胞試料に力を作用させてろ材に接触させ、以って血液細胞試料中の干渉物質がろ材を通過する一方で血液細胞試料中の目的細胞はろ材を通過しないようにする第２ステップ８２を含む。本発明の好ましい態様では、干渉物質をしてろ材を通り抜けさせるために血液細胞試料にかける力は、血液細胞試料を試料容器から吸引するために用いる真空力と同じである。しかし、該力は別個の液圧とし、血液細胞試料が試料容器１６から吸引された後に、血液細胞試料に作用させて血液細胞試料を内腔中に、さらには膜の外に押し出すことも当然可能である。ただし真空のほうが細胞への害は少ないと判明している。該力の制限は、細胞が内腔６６内に保持される際に作用する細胞を凝集させるような力を下回る量である。好ましくは、それは細胞を変形させるような力を下回るだろう。
【００５２】
本方法は、ろ材から細胞を回収する第３ステップ８４を含む。好ましい態様では、細胞の回収は本発明の装置により、ある容量の緩衝液を内腔頂部から圧入して内腔内に残留する細胞を内腔底部経由で試料容器に戻すという方法で行う。あるいは残留血液細胞を内腔底部経由で新試料容器に導き、該容器を回収血液細胞の保存に使用するようにしてもよい。
【００５３】
本方法のさらに好ましい態様では、血液細胞試料をまず各１容積の血液細胞試料に対して、１容積以上の緩衝液で希釈する。更になお好ましくは、全血試料細胞を２容積以上の緩衝液で希釈してから内腔に導き干渉物質を除去するようにする。全血細胞試料の１容積の希釈では７０％超の干渉物質が血液細胞試料から除去され、２容積の希釈では８０％超の干渉物質が血液細胞試料から除去されると判明している。９０％超の干渉物質を血液細胞試料から除去するには血液細胞試料の３容積の希釈が望ましい。
【００５４】
本方法の諸ステップは、前述のステップを自動化することになる本発明の装置を用いて実現することができる。本書では、本方法の１サイクルは血液細胞試料の１洗浄サイクルと考えられる。もっと具体的に言えば、血液細胞試料の１洗浄サイクルは、血液細胞試料に真空力を作用させて血液細胞試料をろ材と接触させること、ろ材と接触している血液細胞試料に力を作用させて、以って血液細胞試料中の干渉物質がろ材を通過する一方で血液細胞試料中の細胞はろ材を通過しないようにすること、及び細胞を内腔から回収することを含む。従って、本発明の血液細胞試料の１洗浄サイクルは５分未満で実施することができる。好ましくは、血液細胞試料の１洗浄サイクルは３分未満、より好ましくは１分未満で実施される。更にもっと好ましい態様では、血液細胞試料の１洗浄サイクルは３０秒未満で実施される。最後に、最も好ましい態様では血液細胞試料の１洗浄サイクルは１５秒未満で実施される。
【００５５】
多洗浄サイクルは細胞膜の収縮や細胞膜の破裂といった細胞の劣化の原因となることがすでに判明している。更に、血液細胞試料の希釈に使用する緩衝液に血清物質を添加すると劣化が最小限に抑えられることも判明している。本書では、血清物質はコレステロール、コレステロールエステル、血漿中に見出される１以上の他の化合物と結合したコレステロール、及びそれらの混合物を包含するものとする。好ましくは、そうした他の化合物はリポタンパク質、リン脂質、及びそれらの混合物を包含する。当業者には自明であるが、コレステロールは一般に約３０％のエステルを含むだろう。やはり当業者には自明であるが、リポタンパク質はコレステロールを水溶液中に維持するだろう。血清物質は、好ましくは、コレステロール、コレステロールエステル、リポタンパク質コレステロール、リポタンパク質コレステロールエステル、リン脂質と結合したコレステロール、及びそれらの混合物からなる群より選択される。
【００５６】
図１４は緩衝液へのウシ胎仔血清添加％と細胞事象回収率の向上との関係を示す。この図では、血液細胞試料を図中の「発明」として示される中空繊維膜装置で３回洗浄している。ウシ胎仔血清が増加すると、多洗浄サイクル後の細胞回収％が増加することを示している。
【００５７】
また、血清物質を添加しない血液細胞試料の１洗浄サイクルでも高脂質含量の血液細胞試料のヒストグラムに見られるリンパ球及び好中球部分母集団の間のバナナ状の外観は排除されることも判明している。
【００５８】
本方法の一実施例では、第１ステップ８０で細胞試料、たとえば、一被検者から静脈穿刺で採取した１００μｌのヒト全血を準備することにより実施される。赤血球を除去する必要があれば、該試料を赤血球溶解試薬、たとえば、６００μｌのギ酸で希釈し、次いで該赤血球溶解試薬を中和する試薬、たとえば、２６５μｌの炭酸塩緩衝液を添加して更に希釈する。随意に、固定剤、たとえば、１００μｌのパラホルムアルデヒド溶液を添加して細胞試料を固定してもよい。血液細胞試料は等張緩衝液で希釈して総容量を４ｍｌとする。これらのステップに好適な試薬はＢｅｃｋｍａｎ　Ｃｏｕｌｔｅｒ，　Ｉｎｃ．から入手可能である［ＩＭＭＵＮＯＰＲＥＰ（商標）試薬系品番７５４６９９９又はＳＣＡＴＴＥＲ　ＰＡＫ（商標）試薬系］。次いで真空力を希釈血液細胞試料に作用させ、該試料をろ材に接触させる。ろ材は、好ましくは中空繊維膜（たとえば、Ａ／Ｇ　Ｔｅｃｈｎｏｌｏｇｙ　ＣｏｒｐｏｒａｔｉｏｎのＣａｔ＃ＣＦＰ−６−Ｄ−Ｈ２２ＬＡ）である。
【００５９】
第２ステップ８２では、ろ材に接触している血液細胞試料に力を作用させ、希釈血液細胞試料中の干渉物質がろ材を通過する一方で血液細胞試料中の目的細胞はろ材により保持されるようにする。すなわち、希釈血液細胞試料中の目的細胞はろ材を通過しない。中空繊維膜を使用する場合には、目的細胞は内腔内に残留する。好ましくは、真空力を血液細胞試料に作用させて干渉物質がろ材を通過する一方で目的細胞は内腔内に残留するようにする。
【００６０】
最も好ましい態様では、干渉物質にろ材を通り抜けさせるために使用する真空力は血液細胞試料を試料容器から吸引する役目も果たす。すなわち、ろ過機構は緩衝液で満たされ、試料容器と流体連絡する。従って、十分な真空力が試料容器内の希釈血液細胞試料に作用すると、希釈血液細胞液は試料容器からろ過機構に吸引され、干渉物質はろ材を通過する。これは細胞容器からろ材を通過するまでの血液細胞試料の連続した流れによって実現される。前述のように、本発明の装置はこれらの機能を果たすうえで必要な真空力を自動的に作用させることができる。
【００６１】
第３ステップ８４はろ材からの細胞の回収である。これは力、たとえば、液体の流れなどをろ材に対して、ステップ８０で血液細胞試料をろ材に接触させた力の向きとは反対向きに作用させることにより実現することができる。該液体の流れは目的細胞をろ材から引き離すであろう。回収細胞はその後、流体連絡により分析装置へと導くことができる。好ましくは、回収細胞は試験管に戻され、次いでその試験管は分析装置へと移送される。
【００６２】
図６に移ると、本発明は表現型マーカーについて細胞を分析する方法も包含する。試料中の細胞上の表現型マーカーを分析する好ましい方法は、分析しようとする細胞試料に該表現型マーカーと結合するプローブを加えて試験試料混合液を形成する第１ステップ９０、血液細胞試料に真空力を作用させて血液細胞試料をろ材に接触させる第２ステップ９２、ろ材に接触している血液細胞試料に力を作用させ、以って血液細胞試料中の干渉物質がろ材を通過する一方で血液細胞試料中の細胞はろ材を通過しないようにする第３ステップ９４、及びろ材から細胞を回収する第４ステップ９６を含む。該方法は更に、プローブ量を定量し細胞集団を識別する第５ステップ９８（図示せず）を含んでもよい。
【００６３】
ステップ９２、９４及び９６の実行は図５のステップ８０、８２及び８４と同じ要領による。ステップ９８は、干渉物質を除去した後の試験試料をフローサイトメーター又は類似装置により分析することにより実施できる。
【００６４】
たとえば、本方法の好ましい態様である、第１ステップ９０では、飽和濃度の蛍光標識抗原特異抗体を血液細胞試料に添加して試験試料混合液を形成する。また第５ステップ９８では、処理済みの試験試料混合液をフローサイトメーターにかけて処理済みの試験試料混合液中の各細胞に結合した蛍光標識抗原特異抗体の量を定量することにより実施できる。
【００６５】
以上の説明から、本発明の装置及び方法は分析される細胞試料からの干渉物質の除去を容易にすることが理解されよう。以下、実施例を以って本発明を更に説明するが、以下の実施例は請求項記載の本発明の範囲を限定するものではない。
【００６６】
実施例１−細胞洗浄装置
中空繊維膜カートリッジ（Ａ／Ｇ　Ｔｅｃｈｎｏｌｏｇｙ　Ｃｏｒｐｏｒａｔｉｏｎ，　ｃａｔ＃　ＣＦＰ−６−Ｄ−Ｈ２２ＬＡ）を用いて装置を製作した。該装置は、数本の１２×７５ｍｍ培養管を保持するよう改造したカルーセル型細胞試料保持体を備える。代りに、該装置は他タイプの管保持体、たとえば、カセットを備えてもよい。該装置はまた、細胞試料を該管から吸引し、中空繊維膜カートリッジによるろ過で該試料から干渉物質を除去してから該管に戻せるようにするための種々のホース、弁及びポンプを備える。発明の詳細な説明でも述べたように（たとえば図４Ａ〜４Ｋに関する説明を参照）、該装置はまた、廃液（たとえば、干渉物質を含有するろ液）を廃液貯槽に排出し、また中空繊維膜を清浄処理したうえで新たな試料に使えるようにするための種々のホース、弁及びポンプを備える。該装置はまた、細胞試料洗浄工程と膜清浄処理手順とを連係させるためのコンピューター化システムを備える。カルーセル型試料保持体は回転可能であり、またコンピューター化システムの制御により、第１細胞試料の処理後に第２細胞試料を入れた第２管の位置を変えて、第２管から第２細胞試料を吸引し、中空繊維膜カートリッジによるろ過で試料から干渉物質を除去してから第２管に戻せるようにるようにしてある。カルーセル内の全試料を洗浄するまでこのサイクルを繰り返すことができる。
【００６７】
実施例２−細胞洗浄方法
実施例１の装置の使用方法を含めて種々の方法を用いて、前述の一般方法に従って処理した細胞試料から干渉物質を除去した。標準方法により細胞集団を蛍光標識抗体で染色した。たとえば、１００μｌのヒトの全血試料を一ヒト被検者から静脈穿刺法で採取し、次いで該全血試料に抗原特異的ＦＩＴＣ標識抗体の１ｍｇ／ｍｌ溶液を１０μｌ加えた。次に試料を室温で１０分間インキュベートした後、Ｂｅｃｋｍａｎ　ＣｏｕｌｔｅｒのＩＭＭＵＮＯＰＲＥＰ試薬系とＴＱ−Ｐｒｅｐ装置を用いてメーカーの説明書に従って赤血球を溶解した（混合しながら溶液Ａ　６００μｌで８秒間、混合しながら溶液Ｂ　２６５μｌで１０秒間及び混合しながら溶液Ｃ　１００μｌで１０秒間）。次に処理済み血液細胞試料の分取量に次の３種の異なるプロトコールのいずれかを適用した：
【００６８】
Ａ．　　　　等張緩衝液で希釈して総容量を約４ｍｌとし、次いで「Ｑｕｉｃｋ　Ｓｐｉｎ」洗浄プロトコールに従い１回洗浄した。Ｑｕｉｃｋ　Ｓｐｉｎ洗浄プロトコール：　標準遠心機を用いて４００×ｇで５分間遠心し、上清を捨て、１ｍｌの等張緩衝液に再懸濁する。
【００６９】
Ｂ．　　　　等張緩衝液で希釈し総容量を約４ｍｌとし、次いで　「Ｓｏｒｖａｌｌ」プロトコールに従って、Ｓｏｒｖａｌｌ　（登録商標）　Ｃｅｌｌ　Ｗａｓｈｅｒ　２を用いて１回洗浄した　（Ａｕｔｏモード８０秒、高速２９５０〜３０００　ｒｐｍ；　デカント６００　ｒｐｍ）　（洗浄後の細胞は最終容量１ｍｌの等張緩衝液に再懸濁）　。
【００７０】
Ｃ．　　　　等張緩衝液で希釈し総容量を約４ｍｌとし、次いで実施例１の装置を用いて１回洗浄した　（洗浄後の細胞は最終容量１ｍｌの等張緩衝液に再懸濁）　。
【００７１】
実施例３−細胞試料の分析
実施例２に従って、ヒト全血試料を細胞表面抗原ＣＤ５６に対応する蛍光標識単クローン抗体と反応させ、赤血球を溶解し、固定化した。「ＴＱ−Ｐｒｅｐ」試料は無洗浄である。「Ｑｕｉｃｋ　Ｓｐｉｎ」試料は実施例２で述べたＱｕｉｃｋ　Ｓｐｉｎプロトコールに従って洗浄した。「３ｍｌ予備希釈」試料は中空繊維膜装置を用いて実施例２Ｃのプロトコールに従って１回洗浄した。「２×洗浄」試料は中空繊維膜装置を用いて実施例２Ｃのプロトコールに従って２回洗浄した（２回目の洗浄には２ｍｌ予備希釈を用いた）。次にＣＯＵＬＴＥＲ　ＥＰＩＣＳ　ＸＬフローサイトメーターによりメーカーの説明書に従い、処理済み血液細胞試料のフローサイトメトリーを行った。残屑％（光散乱分析で求めた）、ＣＤ５６＋細胞％、及びＳ／Ｎ比（ヒストグラムから外挿）に関する結果を図７に示す。
【００７２】
残屑の量はどの試料も低かったが、中空繊維膜装置で２回洗浄した試料の残屑が比較的高かった。残屑の増加は希釈液に血清物質を添加しなかったことによる細胞劣化に起因した。ＣＤ５６細胞の％はＱｕｉｃｋ　Ｓｐｉｎでも中空繊維膜装置でもほぼ同じであった。Ｓ／Ｎ比は、どの洗浄プロトコールを用いても無洗浄コントロールを大幅に上回った。試料を中空繊維膜装置で２回洗浄すると最高のＳ／Ｎ比が得られた。
【００７３】
無洗浄試料に関する同様の実験では、平均残屑％は１０．３％、平均Ｓ／Ｎ比は１１．４であった。本書では、残屑は測定下限値を下回る事象をいう。これに対して、中空繊維膜装置を使用した場合の平均残屑％は２．５％であったが、これは当初１０．３％あった残屑の７５％超が除去されたことを意味する。更に平均Ｓ／Ｎ比は２３．８であったが、これはＳ／Ｎ比が２００％超も改善したことを意味する。Ｑｕｉｃｋ　Ｓｐｉｎプロトコールの場合には、平均残屑％は２．６％、平均Ｓ／Ｎ比は３８．７であった。他の実験では、細胞試料を中空繊維膜装置で２回又は３回洗浄すると、干渉物質がより多く除去され、Ｓ／Ｎ比もさらに向上した。
【００７４】
実施例４−細胞回収の評価
ヒトの全血試料を処理し、実施例２で説明したプロトコールに従って洗浄し、次いでＥＰＩＣＳ　ＸＬフローサイトメーターによりメーカーの説明書に従いフローサイトメトリーを行った。図８に示すように、細胞回収結果（処理後の全血試料１００μｌから回収した表示細胞型の数）は、試料のいずれの画分すなわちリンパ球、単球、顆粒球でも細胞の損失がほとんど又はまったく起こらなかったことを示している（細胞型は光散乱法で判定）。更に、実施例１の装置を使用した細胞回収はＱｕｉｃｋ　Ｓｐｉｎによる細胞回収とほぼ同等であった。「ＴＱ−Ｐｒｅｐ」試料（ｎ＝５）は無洗浄であり、「Ｑｕｉｃｋ　Ｓｐｉｎ」試料（ｎ＝５）は前述のＱｕｉｃｋ　Ｓｐｉｎプロトコールに従って洗浄した。「自動」試料（ｎ＝３２）は中空繊維装置で１回洗浄した。
【００７５】
実施例５−正確さ
数人のドナーに由来するヒトの全血試料をＣＤ５６識別用に染色し、処理し、実施例２に記載の種々のプロトコールに従って洗浄した。「ＴＱ−Ｐｒｅｐ」試料は無洗浄であり、「Ｑｕｉｃｋ　Ｓｐｉｎ」試料は前述のＱｕｉｃｋ　Ｓｐｉｎプロトコールに従って洗浄した。「中空繊維」試料は中空繊維装置で１回洗浄した。次いでＥＰＩＣＳ　ＸＬフローサイトメーターによりメーカーの説明書に従いフローサイトメトリーを行った。図９に示すように、ＣＤ５６＋細胞％はドナーによりまちまちであったが、各ドナーに関してはＱｕｉｃｋ　Ｓｐｉｎを用いようが中空繊維装置を用いようがほぼ同じであった。
【００７６】
実施例６−精密さ
一ヒト全血試料の３２分取量をＣＤ５６識別用に染色し、処理し、実施例２に記載の種々のプロトコールに従い洗浄し、次いでＣＯＵＬＴＥＲ　ＥＰＩＣＳ　ＸＬフローサイトメーターによりメーカーの説明書に従いフローサイトメトリーを行い各分取量のＣＤ５６＋細胞の％を求めた。３２分取量の平均ＣＤ５６＋％は１７．４４％であり、標準偏差は０．７４、変動係数は４．２７％であった。２８分取量に関する同様の実験では平均ＣＤ５６＋細胞％は１５．６％、標準偏差は０．６、変動係数は３．５％であった。
【００７７】
実施例７−細胞の持越し
全血細胞試料を実施例２の要領で処理し、次いで通常細胞濃度の４倍に濃縮した。次に各試料を実施例１の装置を用いて洗浄した（実施例２Ｃのプロトコールに従って洗浄し、試料洗浄後に中空繊維膜を清浄処理）。次に該装置を用いて、細胞を含まず緩衝液だけを含む空試料を「洗浄」した。フローサイトメーターで空試料を分析し、細胞の存在量を調べた。図１０に示すように、試験から試験への細胞の持越しはごくわずかで、０．００％〜０．０３％の細胞が後続の分析に持ち越されたにすぎない。
【００７８】
実施例８−他の適用分野
本発明の装置及び方法は本書で明記していない他の分析にも適用しうる。そうした他の適用分野はたとえば尿タンパク分析である。また、細胞分析方法の一環として従来遠心を利用してきた分野は本発明の中空繊維膜装置及び方法の適用が特に見込まれる。たとえば、多様な細胞集団がすでに本装置を使用して分析されている。更に本発明には多種多様なプローブがすでに使用されている。中空繊維膜装置を首尾よく適用することができた試料は、赤血球を溶解処理した全血試料の他に、たとえば、細胞系、精製白血球亜群、赤血球、血小板、骨髄細胞、及び脳脊髄液・滑膜液・腹膜液・腹水・胸膜液・心膜液中の細胞、及びホモジナイズ処理した組織などがある。血液バンク分野で血液型判定や適合性試験などに常用される赤血球凝集試験法は従来遠心法に依存しているが、本発明の方法及び装置を使用して実行するよう容易に調整することができる。
【００７９】
本発明に首尾よく使用されてきたプローブには蛍光標識単クローン抗体などがあるが、それらの抗体は細胞表面抗原、たとえば、免疫グロブリン、カッパ−及びラムダ−因子、ＣＤ５、ＣＤ７、ＣＤ１０、ＣＤ１３、ＣＤ１９、ＣＤ３３、ＣＤ３４、ＣＤ３８、ＣＤ４１、ＣＤ４５、ＣＤ４１、ＣＤ４２ｂ、ＣＤ６１、ＣＤ６３、ＣＤ６４、ＣＤ７１及びＣＤ１１７、並びに細胞内抗原、たとえば、種々の型のヘモグロビンに対して特異的である。他の様々な抗体及び非抗体プローブ、たとえば、細胞表面の受容体分子と結合する化学及び生物コンストラクト、細胞内の細胞性酵素と反応する酵素基質、細胞内の細胞質抗原と反応する抗体及び非抗体プローブ、細胞内の核酸配列と反応するＤＮＡ及びＲＮＡプローブ、それに細胞内の細胞質−及び核−構造物と反応する種々の細胞内染料も本発明に適合するものと見込まれる。従って、ほとんどの種類の細胞及びプローブが、特に選択した中空繊維膜の微孔が選択した細胞型よりも大きく、選択したプローブよりも小さい場合には、本発明に適合するものと見込まれる。
【００８０】
たとえば、図１１では本発明の血小板試料への適用例を、ＣＤ４２ｂ及びＣＤ６３識別用に染色した血小板試料のフローサイトメトリー結果で示している。更に図１２では別の例として、本発明の骨髄細胞試料への適用例を、ＣＤ５６識別用に染色した骨髄細胞試料のフローサイトメトリー結果で示している。細胞回収とＳ／Ｎ比は本発明の装置・方法である「発明」もＳｏｒｖａｌｌ装置及び洗浄方法もほぼ同等であった。図１３では、本発明の細胞内分析への適用例を、ヘモグロビン識別用の染色をした透過性化処理済み血液試料のフローサイトメトリーで示している。Ｓ／Ｎ比は、本発明の装置・方法である「中空繊維」も実施例２で述べたＱｕｉｃｋ　Ｓｐｉｎ洗浄方法もほぼ同等であった。
【００８１】
実施例９−細胞分析装置と一体化した細胞洗浄装置
特に、本発明の装置を１以上の在来の細胞分析装置と一体化すれば洗浄装置から洗浄済み細胞を分析装置へと移送する手動ステップを省略することが可能になると見込まれる。たとえば、本発明の細胞洗浄装置で洗浄した細胞試料を入れた試験管をフローサイトメーターによる分析を可能にする位置へと移送するためのロボット手段を提供することにより、本発明の細胞洗浄装置はフローサイトメーター、たとえば、ＣＯＵＬＴＥＲ　ＥＰＩＣＳ（登録商標）フローサイトメーター、と一体化することができよう。一例として、数個の洗浄済み試料を収めたカルーセルを細胞洗浄に好適な（たとえば、細胞洗浄装置の近位）位置から細胞分析に好適な別の（たとえば、フローサイトメーターの近位）位置へとコンベヤーで運ぶことができよう。流体接続及び導管は、分析のために洗浄済み細胞試料をフローサイトメーター中に吸引するだろう。
【００８２】
代りに、本発明の細胞洗浄装置を一以上の血液検査装置と一体化することも可能である。この態様では、赤血球溶解後に細胞残屑の除去を目的に血液細胞試料を洗浄することになろう。更に、まず血液細胞試料を洗浄して干渉物質を血液細胞試料から除去した後に、血液細胞試料と生物反応又は化学反応させるようにしてもよい。
【００８３】
以上の説明は多くの種類を含むが、それらは本発明の範囲を限定するものではなく、その好ましい態様の例示である。他にもいろいろな変法が可能である。たとえば本発明は、２個のポンプと１個の真空源ではなく単一の液圧変換器だけを含むような干渉物質除去装置を包含する。該装置が備える多様なホース及び弁は、該単一液圧変換器と連係するように接続し、以って該装置が本書で述べた好ましい態様とほぼ同様に機能するようにしてもよい。別の例として、微孔性中空繊維膜を使用して細胞試料から液体を除去することにより細胞試料を濃縮する方法も本発明に包含される。従って、本発明の範囲は例示の態様によってではなく、添付の特許請求の範囲及びその法的同等物によって限定されるものとする。
【図面の簡単な説明】
【図１】
図１は本発明の装置の略図である。
【図２】
図２は本発明のろ過機構の略図である。
【図３】
図３は本発明のろ過機構の断面図であり、ろ過機構の中空繊維膜内腔内の細胞試料から干渉物質が除去される模様を示す。
【図４Ａ】
図４Ａは本発明の装置の操作を図解した略図である。
【図４Ｂ】
図４Ｂは本発明の装置の操作を図解した略図である。
【図４Ｃ】
図４Ｃは本発明の装置の操作を図解した略図である。
【図４Ｄ】
図４Ｄは本発明の装置の操作を図解した略図である。
【図４Ｅ】
図４Ｅは本発明の装置の操作を図解した略図である。
【図４Ｆ】
図４Ｆは本発明の装置の操作を図解した略図である。
【図４Ｇ】
図４Ｇは本発明の装置の操作を図解した略図である。
【図４Ｈ】
図４Ｈは本発明の装置の操作を図解した略図である。
【図４Ｉ】
図４Ｉは本発明の装置の操作を図解した略図である。
【図４Ｊ】
図４Ｊは本発明の装置の操作を図解した略図である。
【図４Ｋ】
図４Ｋは本発明の装置の操作を図解した略図である。
【図５】
図５は本発明の方法の概略である。
【図６】
図６は本発明の別法の概略である。
【図７】
図７は蛍光標識ＣＤ５６単クローン抗体と反応させた後の血液細胞試料のフローサイトメトリーで得られたデータのグラフである。データは残屑％、ＣＤ５６＋％及びＳ／Ｎ比として表している。図のデータは１ドナーに関する１０回の反復試験の平均値である。
【図８】
図８は、種々の洗浄プロトコールを適用した赤血球溶解及び固定処理済み血液細胞試料から回収した細胞のフローサイトメトリーで得られたデータのグラフである。リンパ球（「Ｌｙ．」）画分、単球（「Ｍｏ．」）画分、顆粒球（「Ｇｒ．」）画分、及び３画分すべての混合物に由来するデータを示している。画分の選別には光散乱法を用いた。図のデータは平均値であり、エラーバーは標準偏差を示す。
【図９】
図９は１２人のドナーから採取し、ＣＤ５６識別用の染色、赤血球溶解及び固定の各処理を施した血液細胞試料のフローサイトメトリーで得られたデータのグラフである。データはＣＤ５６＋％であり、ドナー当たり２〜１２回の反復試験の平均値で示している。
【図１０】
図１０は中空繊維膜装置で洗浄した濃縮細胞試料からの細胞持越し量を示すグラフである。細胞試料を洗浄し次いで中空繊維膜を清浄処理した後に、同じ中空繊維膜を使用して空試料管を「洗浄」した。細胞試料から空試料管に持ち越された細胞数をフローサイトメトリーで定量した。図のデータは細胞試料から空試料に持ち越された細胞の％である。１ドナーに由来する１７試料を試験した。当初の総事象数を基準にした持越し細胞％は０．０３％以下である。従って図１０では持越し細胞数に関するバーを示していない。
【図１１】
図１１はＣＤ４２ｂ及びＣＤ６３識別用の染色をした血小板試料のフローサイトメトリーで得られたデータのグラフである。蛍光標識した各２０μｌの抗ＣＤ４２ｂ抗体及び抗ＣＤ６３抗体を１００μｌの（重力沈降処理後の）血小板濃厚血漿と１０分間、撹拌又は混合せずにインキュベートした。「コントロール」試料は無洗浄である。「Ｓｏｒｖａｌｌ」試料はＳＯＲＶＡＬＬ（登録商標）Ｃｅｌｌｗａｓｈｅｒ　２　（Ｅ．Ｉ．　ｄｕ　Ｐｏｎｔ　ｄｅ　Ｎｅｍｏｕｒｓ）を用いメーカーの説明書に従いＡＵＴＯモードで洗浄した。「Ｑｕｉｃｋ　Ｓｐｉｎ」試料は本書で説明しているＱｕｉｃｋ　Ｓｐｉｎプロトコールに従って洗浄した。また「発明」試料は中空繊維膜装置を用いて１回洗浄した。データはＣＯＵＬＴＥＲ（登録商標）ＥＰＩＣＳ（登録商標）ＸＬ（登録商標）フローサイトメーター（Ｂｅｃｋｍａｎ　Ｃｏｕｌｔｅｒ，　Ｉｎｃ．　米国フロリダ州マイアミ）を用いて取り、大きさ（前方及び直交光散乱を基に測定）、ＣＤ４２ｂ％（平均チャンネル蛍光）及びＣＤ６３％（平均チャンネル蛍光）として表示した。図のデータは１ドナーに関する３回の反復試験の平均値である。
【図１２】
図１２はＣＤ５６識別用の染色、赤血球溶解及び固定の各処理を施した骨髄細胞試料に関する、ＴＱ−Ｐｒｅｐ（登録商標）装置（Ｂｅｃｋｍａｎ　Ｃｏｕｌｔｅｒ，　Ｉｎｃ．　米国フロリダ州マイアミ）使用によるフローサイトメトリーで得られたデータのグラフである。「Ｓｏｒｖａｌｌ」試料はＳＯＲＶＡＬＬ（登録商標）Ｃｅｌｌｗａｓｈｅｒ　２を用いメーカーの説明書に従いＡＵＴＯモードで洗浄し、また「発明」試料は中空繊維膜装置を用いて１回洗浄した。データは細胞回収量（３０秒間操作での事象数）及びＳ／Ｎ比（本書で説明している意味での）であり、ＥＰＩＣＳ　ＸＬフローサイトメーターを用いて取った。図のデータはドナー当たり１回の試験による３ドナーの平均値である。エラーバーは標準偏差を表わす。
【図１３】
図１３はヘモグロビン識別用の染色をした血液細胞試料のフローサイトメトリーで得られたデータを示すグラフである。２００μｌの全血を、市販試薬を用い標準プロトコールに従って、架橋、透過性化及び固定化処理した。こうして調製、透過性化処理した赤血球２０μｌを下記量の個別抗体、すなわち、ＭｓｌｇＧ１−ＰＥ／ＭｓｌｇＧ１−ＦＩＴＣ　２０μｌ、ＰａｎＨｂ−ＦＩＴＣ　１０μｌ、ＨｂＣ−ＦＩＴＣ　３０μｌ（ＨｂＡｏと交差反応性）、ＨｂＳ−ＦＩＴＣ　３０μｌ、ＨｂＦ−ＦＩＴＣ　３０μｌ又はＨｂＡ１ｃ−ＦＩＴＣ　１０μｌを用いて染色し、２０分間混合し、次に洗浄した。「Ｑｕｉｃｋ　Ｓｐｉｎ」試料は本書で説明しているＱｕｉｃｋ　Ｓｐｉｎプロトコールに従って洗浄し、また「発明」試料は中空繊維膜装置を用いて１回洗浄した。データは（本書で説明している意味での）　Ｓ／Ｎ比であり、ＥＰＩＣＳ　ＸＬフローサイトメーターを用いて取った。図のデータは試験条件当たり１回の試験に基づいている。
【図１４】
図１４は、洗浄緩衝液のウシ胎仔血清含有量を逓増させながら実施した３洗浄サイクル後の無傷細胞回収率を示すグラフである。
【図５】
2004503745.tif 000003
【図６】
2004503745.tif 000004
【図７】
2004503745.tif 000005
【図８】
2004503745.tif 000006
【図９】
2004503745.tif 000007
【図１０】
2004503745.tif 000008
【図１１】
2004503745.tif 000009
【図１２】
2004503745.tif 000010
【図１３】
2004503745.tif 000011
【図１４】
2004503745.tif 000012
【国際公開パンフレット】
2004503745.tif 000013
2004503745.tif 000014
2004503745.tif 000015
2004503745.tif 000016
2004503745.tif 000017
2004503745.tif 000018
2004503745.tif 000019
2004503745.tif 000020
2004503745.tif 000021
2004503745.tif 000022
2004503745.tif 000023
2004503745.tif 000024
2004503745.tif 000025
2004503745.tif 000026
2004503745.tif 000027
2004503745.tif 000028
2004503745.tif 000029
2004503745.tif 000030
2004503745.tif 000031
2004503745.tif 000032
2004503745.tif 000033
2004503745.tif 000034
2004503745.tif 000035
2004503745.tif 000036
2004503745.tif 000037
2004503745.tif 000038
2004503745.tif 000039
2004503745.tif 000040
2004503745.tif 000041
2004503745.tif 000042
2004503745.tif 000043
2004503745.tif 000044
2004503745.tif 000045
2004503745.tif 000046
2004503745.tif 000047
2004503745.tif 000048
2004503745.tif 000049
2004503745.tif 000050
2004503745.tif 000051
2004503745.tif 000052
2004503745.tif 000053
2004503745.tif 000054
2004503745.tif 000055
2004503745.tif 000056
2004503745.tif 000057
2004503745.tif 000058
2004503745.tif 000059
2004503745.tif 000060
2004503745.tif 000061
2004503745.tif 000062
2004503745.tif 000063
2004503745.tif 000064
2004503745.tif 000065
2004503745.tif 000066
2004503745.tif 000067
2004503745.tif 000068
2004503745.tif 000069
2004503745.tif 000070
2004503745.tif 000071
2004503745.tif 000072
2004503745.tif 000073
2004503745.tif 000074
2004503745.tif 000075
2004503745.tif 000076
2004503745.tif 000077
2004503745.tif 000078
2004503745.tif 000079
2004503745.tif 000080
【国際公開パンフレット（コレクトバージョン）】
2004503745.tif 000081
2004503745.tif 000082
【国際調査報告】
2004503745.tif 000083
2004503745.tif 000084
2004503745.tif 000085